(57)【特許請求の範囲】
【請求項１】
郵便区分機及びビデオコーディングシステムと通信可能に構成されたビデオコーディング管理装置であって、
他のビデオコーディングシステムとネットワークを介してデータの送受信を行うネットワークインタフェースと、
記憶部に記憶されている複数のビデオコーディング作業者に関するデータと、前記各作業者の単位時間当たりの作業量に関するデータと、前記各ビデオコーディング作業者の作業量に関する過去の実績計測データとに基づいて前記ビデオコーディング作業者毎のビデオコーディング作業能力値を求める手段と、
単位時間当たりに前記郵便区分機に投入される郵便物の量に関するデータと、単位時間当たりにビデオコーディング対象となった郵便物の量に関するデータと、前記記憶部に記憶されている、ビデオコーディング対象となった郵便物の量、割合及び変化率に関する過去データとに基づいてビデオコーディング作業量を予測する手段と、
前記求めた作業能力値と前記予測したビデオコーディング作業量とに基づいて、前記他のビデオコーディングシステムに対してビデオコーディング作業依頼を行うか否かを判断する手段と、
前記求めた作業能力値と前記予測したビデオコーディング作業量とに基づいて前記他のビデオコーディングシステムからのビデオコーディング作業依頼を受け入れるか否かを判断する手段と、
を有することを特徴とするビデオコーディング管理装置。
【発明の詳細な説明】
【０００１】
【発明の属する技術分野】
本発明は、画像処理による文字認識および宛先コード読み取りによって郵便物を区分する郵便区分機と、該郵便区分機の郵便物の区分を補助するビデオコーディングシステムに関する。
【０００２】
【従来の技術】
従来の郵便区分機について図１１を用いて説明する。
【０００３】
１１−１は郵便区分機、１１−２は郵便区分機１１−１の郵便物の区分を補助するビデオコーディングシステムである。
【０００４】
集められた郵便物ａを郵便区分機１１−１に投入し、差立て分の郵便物ｂおよび配達分の郵便物ｃに区分する。
【０００５】
郵便区分機１１−１は、
画像処理による文字認識および宛先コード読み取りによって郵便物から、郵便番号、住所、宛名からなる区分情報を読み取り、区分情報に対応する管理情報とコード情報を印刷する１１−１ａ部と、１１−１ａ部で印刷した管理コードをさらに読み取り、郵便物ｂおよび郵便物ｃのごとく差し立ておよび配達等に応じた領域へ郵便物を集積する１１−１ｂ部とからなる。
【０００６】
このとき、該１１−１ａ部の文字認識および宛先コード読み取りによって区分情報が読み取れなかった郵便物に対して、ビデオコーディングシステム１１−２において作業者が該郵便物の画像から目視によって区分情報を読み取り入力することで郵便区分機１１−１の郵便物の区分を補助する。
【０００７】
これら郵便区分機に関する発明としては、特開平８−１７３９１３号公報の区分装置などが知られている。
【０００８】
【発明が解決しようとする課題】
上記従来例のビデオコーディングシステムにおいて、郵便物の差し立ておよび配達の時間が決まっていることから、郵便物の区分を決まった時間までに終了する必要があり、予想した郵便物の最大量に合わせてビデオコーディングを行う作業員を確保していた。
【０００９】
特に、同一市内への当日配達を実施するため、区分作業を翌日に先送りする、また、配達時間を遅らせる等の対応がとれないことが、作業員を余剰に確保する対応の選択を余儀なくしていた。
【００１０】
また、郵便区分機の稼動スケジュールが郵便物の到着、差し立て、配達の時間により決まることから、スケジュールによっては郵便区分機およびビデオコーディングシステムが稼動してない時間帯が発生するなど、設備運用面での無駄もあった。
【００１１】
ただし、稼動してない時間帯の一部は郵便区分機のメンテナンス時間に利用しているため、稼動してない時間の全てが無駄ではない。
【００１２】
本発明は、従来、余剰に確保する必要があった作業者を低減すると供に、区分機およびビデオコーディングシステムの稼働率を向上させることを目的とする。
【００１３】
【課題を解決するための手段】
上記課題を解決するために本発明の郵便区分機とビデオコーディングシステムは、
少なくとも２つ以上のビデオコーディングシステムをネットワーク手段で接続し、一方の郵便区分機でビデオコーディング対象となった郵便物の画像をネットワーク手段によって他方のビデオコーディングシステムへ転送し、他方のビデオコーディングシステムで郵便物の画像から目視によって区分情報を読み取り入力する手段と、
ビデオコーディング作業量の予測値、実測値、作業者の作業能力値から、ビデオコーディング作業の他方への依頼、または、他方からの依頼の受領を判断および指示する手段とにより、
ビデオコーディング作業の相互依託を可能にする郵便区分機とその分散型ビデオコーディングシステムを提供することができる。
【００１４】
【発明の実施の形態】
以下、本発明の郵便区分機とその分散型ビデオコーディングシステムの一実施例について説明する。
【００１５】
図１、図４は、本発明の郵便区分機とその分散型ビデオコーディングシステムのネットワーク構成を示す構成図であり以下説明する。
【００１６】
１−１は、郵便区分を行う郵便区分センタ１を示す。
【００１７】
１−２は、郵便区分を行う他の郵便区分センタｎを示す。
【００１８】
１−３は、これら郵便区分センタ1と郵便区分センタｎを接続するネットワークである。
【００１９】
１ａは、画像処理による文字認識および宛先コード読み取りによって郵便物から、郵便番号、住所、宛名からなる区分情報を読み取り郵便物を区分する郵便区分機である。
【００２０】
１ｃは、該郵便区分機１ａの文字認識および宛先コード読み取りによって区分情報が読み取れなかった郵便物の画像から、目視によって区分情報を読み取り入力することで郵便区分機１ａの区分を補助するビデオコーディングシステムである。
【００２１】
１ｂは、例えば図４の如く、１−１の郵便区分センタ１の郵便区分機１ａでビデオコーディング対象となった郵便物の画像を、ネットワーク１−３によって１−２の郵便区分センタｎのビデオコーディングシステム１ｃへ転送し（４ａ→４ｂ→４ｃ→４ｄの流れ）、１−２の郵便区分センタｎのビデオコーディングシステム１ｃで郵便物の画像から目視によって区分情報を読み取り入力（４ｄ→４ｃ→４ｂ→４ａの流れ）するビデオコーディング作業の相互依託を制御するビデオコーディングマネージャである。
【００２２】
図２は、本発明の郵便区分機とその分散型ビデオコーディングシステムの一実施例における、ビデオコーディングマネージャのプログラムブロック図であり以下説明する。
【００２３】
１ｂ−１は、ネットワーク１−３による、郵便物の画像、区分情報、ビデオコーディング作業量情報、ビデオコーディング作業依頼、ビデオコーディング作業受領等の情報通信を制御するネットワーク通信プログラムである。
【００２４】
１ｂ−２は、支持者２−４への、ビデオコーディング作業を他郵便区分センタへ依頼する作業依頼指示２ｅと、他郵便区分センタからのビデオコーディング作業の依頼を受領する作業受領指示２ｅと、作業状況２ｄの表示を制御する作業依頼／受領管理プログラムである。
【００２５】
１ｂ−３は、ビデオコーディング作業量の予測と作業者毎のビデオコーディング作業量の実績を単位時間当りおよび総量として計測する作業量予測／管理プログラムである。
【００２６】
１ｂ−４は、作業者２−５および他方へのビデオコーディング作業の割り当てを制御する作業管理プログラムである。また、作業者２−５毎に、作業者名、作業経験情報、パスワードなどの作業者情報を登録管理する。
【００２７】
２−１は、郵便区分センタ１−１へ持ち込まれた郵便物ａを示し、郵便区分機１ａへ区分投入２ａする。
【００２８】
２−２は、郵便区分センタ１−１から該当する他の郵便局および郵便区分センタへ差立て分２ｂとして区分し集積した郵便物ｂを示す。
【００２９】
２−３は、郵便区分センタ１−１の該当配達分２ｃとして区分し集積した郵便物ｃを示す。
【００３０】
通常のビデオコーディングの流れは、郵便物ａを区分投入２ａし、差立て２ｂまたは配達２ｃ分として区分する場合に、郵便区分機１ａの文字認識および宛先コード読み取りによって区分情報が読み取れなかった郵便物は、該郵便物の画像をビデオコーディングマネージャ１ｂ経由でビデオコーディングシステム１ｃへ転送し、作業者２−５へ画像表示２ｇする。作業者２−５が目視によって区分情報を読み取り区分情報入力２ｉし、該区分情報をビデオコーディングマネージャ１ｂ経由で郵便区分機１ａに通知することで該当郵便物を区分する。
【００３１】
ネットワーク１−３によるビデオコーディング作業の相互依託に関してはフローチャート図を使って後述する。また、その中で、ビデオコーディング作業量の予測、作業者毎のビデオコーディング作業量の実績計測、ビデオコーディング作業の依頼先決定、ビデオコーディング作業の受領先の決定、受領したビデオコーディング作業の作業者決定などの具体的な方法を説明する。
【００３２】
図３は、本発明のビデオコーディングマネージャの基本構成図を示すブロック図であり以下説明する。
【００３３】
３−２は、郵便区分機１ａ、ビデオコーディングシステム１ｃ、他ビデオコーディングマネージャ１ｂをネットワーク接続するためのネットワークインタフェースである。
【００３４】
３−３は、支持者２−４がビデオコーディング作業の依頼および受領の状況２ｄを確認するための作業依頼／受領表示装置である。
【００３５】
３−４は、支持者２−４がビデオコーディング作業の依頼および受領の指示２ｅを入力するための作業依頼／受領入力装置である。
【００３６】
１ｂ−５は、これら装置を制御するオペレーティングシステムである。
【００３７】
３−１は、オペレーティングシステム１ｂ−５、ネットワーク通信プログラム１ｂ−１、作業依頼／受領管理プログラム１ｂ−２、作業量予測／管理プログラム１ｂ−３、作業者管理プログラム１ｂ−４などのプログラム実行空間の提供と、作業状況および作業者情報などのデータを一時格納するをメモリである。
【００３８】
３−５は、オペレーティングシステム１ｂ−５、ネットワーク通信プログラム１ｂ−１、作業依頼／受領管理プログラム１ｂ−２、作業量予測／管理プログラム１ｂ−３、作業者管理プログラム１ｂ−４に従って処理を実行するＣＰＵである。
【００３９】
３−６は、オペレーティングシステム１ｂ−５、ネットワーク通信プログラム１ｂ−１、作業依頼／受領管理プログラム１ｂ−２、作業量予測／管理プログラム１ｂ−３、作業者管理プログラム１ｂ−４、作業状況および作業者情報などのデータを格納するハードディスクである。
【００４０】
３−７は、これらを接続するＢＵＳである。
【００４１】
例えば、ビデオコーディングマネージャ１ｂは、コンピュータ装置とそのオペレーティングシステムおよびプログラムによって構成してもよい。
【００４２】
次に、図５〜第１０図のフローチャート図を用いて、本発明の郵便区分機とその分散型ビデオコーディングシステムにおけるビデオコーディング作業の相互依託に関する具体的な処理の流れを説明する。
【００４３】
図５は、作業者２−５がビデオコーディング作業を開始してから終了するまでの処理フローを示したものである。
【００４４】
５００ａは、作業者２−５による作業者を特定するためのキーボートおよびタッチパネルによるパスワード入力、ＩＣカードのリードなどの情報と作業開始終了の通知を示す。ビデオコーディングシステム１ｃへの作業者情報入力２ｈをビデオコーディングマネージャ１ｂへ通知する。
【００４５】
５００ｂは、作業者情報２ｈから、作業者２−５の追加か削除、もしくは変化無しを判断する処理を示す。追加の場合は作業者２−５の作業開始であり、削除の場合は作業者２−５の作業終了を示す。
【００４６】
５００ｃは、作業者２−５の追加の場合で、作業者２−５が新規登録であるか判断する処理を示す。
【００４７】
５００ｄは、作業者２−５の新規登録処理を示すであり、作業管理プログラム１ｂ−４への登録処理を示す。例えば、作業者名、作業経験情報、パスワードなどを登録するため、ビデオコーディングマネージャ１ｂから作業者２−５へ作業指示２ｆを行い、作業者情報入力２ｈとしてこれらの情報を得るものである。
【００４８】
５００ｅは、該追加の作業者２−５を作業割当スケジューリングへ追加する作業管理プログラム１ｂ−４の処理を示す。
【００４９】
５００ｆは、作業者２−５が作業者情報入力２ｈを行ったビデオコーディングシステム１ｃの該当端末へ作業指示２ｆを行う処理を示す。作業指示２ｆを受けた作業者２−５はビデオコーディング作業を開始する。
【００５０】
５００ｇは、作業者２−５が作業終了の場合に、該当作業者２−５を作業割当スケジューリングから削除する作業管理プログラム１ｂ−４の処理を示す。
【００５１】
５００ｈ、５００ｉは、作業者２−５毎の作業能力を計測する作業量予測／管理プログラムの処理を示す。計測情報は作業者毎に管理し、作業者情報として作業管理プログラム１ｂ−４へ登録する。
【００５２】
ここで、作業者毎のビデオコーディング作業量の実績計測は、作業量予測／管理プログラム１ｂ−３によって、各作業員毎に単位時間当りの作業量の定期的なサンプリングを元に、過去の実績計測データとの比較および変化率等から作業者２−５毎のビデオコーディング作業能力の基準値を求める。
【００５３】
５００ｊは、区分作業の終了判定の処理を示す。終了しない場合は一連の処理を繰り返す。
【００５４】
以上によって、ある時点での作業中の作業者２−５の特定と、作業者２−５毎のビデオコーディング作業能力を知ることができ、ビデオコーディングシステム１ｃ全体の作業能力を把握することができる。
【００５５】
図６〜第８図は、支持者２−４がビデオコーディング作業量の予測値と作業者２−５の作業能力値から、ビデオコーディング作業を他方へ依頼、または、他方からの依頼を受領するビデオコーディング作業の相互依託を行うまでの処理フローを示したものである。
【００５６】
６００ａは、郵便区分機１ａでビデオコーディング対象となる郵便物の量（ビデオコーディング作業量）を予測する処理を示す。ここで、ビデオコーディング作業量の予測は、作業量予測／管理プログラム１ｂ−３によって、単位時間当りに郵便区分機１ａへ区分投入２ａする２−１の郵便物ａの量と、単位時間当りにビデオコーディング対象となった郵便物の量の定期的なサンプリングを元に、過去の同時期（月、日、曜日など）でビデオコーディング対象となった郵便物の量と割合と変化率から基準を求める。
【００５７】
６００ｂは、ある時点での作業者２−５毎のビデオコーディング作業能力を集計し、ビデオコーディングシステム１ｃの総作業能力を計算する作業量予測管理プログラム１ｂ−３による処理を示す。
【００５８】
６００ｃは、作業量予測６００ａによる作業量予測値と、作業者能力集計６００ｂによる作業能力値をネットワーク１−３によって他のビデオコーディングマネージャ１ｂに通知すると供に、他のビデオコーディングマネージャ１ｂの作業量予測値と作業能力値を取得するネットワーク通信プログラム１ｂ−２の作業情報通信処理を示す。
【００５９】
６００ｄは、作業量予測値と作業能力値と、ネットワーク１−３で接続した他の郵便区分センタにおける作業量予測値と作業能力値の作業状況表示２ｄを行う作業依頼／受領管理プログラム１ｂ−２の処理を示す。
【００６０】
６００ｅは、支持者２−４による、ビデオコーディング作業を他郵便区分センタへ依頼する作業依頼指示と、他郵便区分センタからのビデオコーディング作業の依頼を受領する作業受領指示を行う作業依頼／受領管理プログラム１ｂ−２への作業依頼／受領入力２ｅを示す。
【００６１】
ここで、ビデオコーディング作業の依頼および依頼先の決定と、作業の受領および受領先の決定方法について述べる。これらの決定は指示者２−４により判断するか、もしくは設定した値によって作業依頼／受領管理プログラム１ｂ−２で自動判断することにより行われる。
【００６２】
作業依頼の判断は、依頼元の作業量予測値が作業能力値を上回る場合に行う。依頼先の判断は、依頼先の作業量予測値が依頼先の作業能力値を下回る場合に行う。ここで依頼元の作業量予測値−依頼元の作業能力値＝依頼する作業量であり、依頼先の作業量予測値−依頼元の作業能力値＝依頼先が受領できる作業量である。この時、依頼先を複数設けることも可能である。
【００６３】
作業受領の判断は、受領元の作業量予測値が作業能力値を下回る場合に行う。受領先の判断は、受領先よりの作業依頼の有無により行う。ここで、受領先の作業量予測値−依頼元の作業能力値＝依頼する作業量であり、受領元の作業量予測値−依頼元の作業能力値＝受領できる作業量である。この時、複数の受領先を設けることも可能である。
【００６４】
この時、依頼と受領の関係は、依頼先が受領元になり、依頼元が受領先になる。
【００６５】
６００ｆは、作業依頼指示の有無判定処理を示す。有りの場合は図７へ。
【００６６】
６００ｇは、作業受領指示の有無判定処理を示す。有りの場合は図８へ。
【００６７】
６００ｈは、終了判定処理を示す。終了しない場合は一連の処理を繰り返す。
【００６８】
次に、図７において作業依頼指示の処理を示す。
【００６９】
７００ａは、指示者２−４による依頼先の判断および作業依頼／受領管理プログラム１ｂ−２での自動判断による依頼先の判断を示す。
【００７０】
７００ｂは、依頼先への作業依頼および作業量の通知処理を示す。通知処理はネットワーク通信プログラム１ｂ−１により処理する。
【００７１】
７００ｃは、依頼先からの受領応答の有無判定処理を示す。任意の期間応答が無い場合は作業量予測から再判定を実施する。
【００７２】
７００ｄは、依頼先から受領応答があった場合の依頼先へのビデオコーディング作業の開始通知処理を示す。通知処理はネットワーク通信プログラム１ｂ−１により処理する。
【００７３】
７００ｅは、ビデオコーディングマネージャ１ｂによるビデオコーディング作業の依頼処理を示す。この処理の図９を用いて詳細に説明する。
【００７４】
７００ｆは、依頼した作業量に到達したかの判定処理を示す。
【００７５】
７００ｇは、依頼先へのビデオコーディング作業の終了通知処理を示す。通知処理はネットワーク通信プログラム１ｂ−１により処理する。
【００７６】
次に、図８において作業受領指示の処理を示す。
【００７７】
８００ａは、指示者２−４による受領先の判断および作業依頼／受領管理プログラム１ｂ−２での自動判断による受領先の判断を示す。
【００７８】
８００ｂは、指示者２−４への作業状況表示２ｄの一部である作業者２−５のビデオコーディング作業能力表示を示す。この表示は作業依頼／受領管理プログラム１ｂ−２により作業管理プログラム１ｂ−４の作業者情報を表示するものである。
【００７９】
８００ｃは、支持者２−４による作業者２−５の選択入力を示す。
【００８０】
ここで、８００ｂの作業者２−５毎のビデオコーディング作業能力表示により、受領したビデオコーディング作業を行う作業者２−５を決定する。この決定は特定の作業者２−５を決定してもよく、また、作業者２−５を決定しない場合は作業管理プログラム１ｂ−４により割り当てる。
【００８１】
８００ｄは、支持者２−４によって選択もしくは作業管理プログラム１ｂ−４により割り当てた作業者２−５への作業指示の処理を示す。
【００８２】
８００ｅは、受領先への受領応答および受領作業量の通知処理を示す。通知処理はネットワーク通信プログラム１ｂ−１により処理する。
【００８３】
８００ｆは、受領先からの依頼応答の有無判定処理を示す。任意の期間応答が無い場合は作業量予測から再判定を実施する。
【００８４】
８００ｇは、受領先から依頼応答があった場合の受領先へのビデオコーディング作業の開始通知と、ビデオコーディングマネージャ１ｂへの作業開始処理を示す。通知処理はネットワーク通信プログラム１ｂ−１により処理する。
【００８５】
８００ｈは、ビデオコーディングマネージャ１ｂによるビデオコーディング作業の受領処理を示す。この処理を図１０を用いて詳細に説明する。
【００８６】
８００ｆは、受領した作業量に到達したかの判定処理を示す。
【００８７】
８００ｊは、受領先へのビデオコーディング作業の終了通知処理を示す。通知処理はネットワーク通信プログラム１ｂ−１により処理する。
【００８８】
以上によって、他郵便区分センタ１−２へのビデオコーディング作業依頼と、他郵便区分センタ１−２からの作業依頼の受領が可能になる。また、これらの依頼と受領は複数の依頼先、受領先に対して並行して実行できる。
【００８９】
第９図は、ビデオコーディング作業の依頼時におけるビデオコーディングマネージャ１ｂによるビデオコーディング作業依頼の処理フローを示したものである。
【００９０】
９００ａは、ビデオコーディングマネージャ１ｂにおけるビデオコーディング作業の単位時間の依頼割合を制御する負荷制御処理を示したものである。この依頼割合は依頼先が受領したビデオコーディング作業量を超えない範囲で、かつ、総作業能力を下回らないビデオコーディング作業量を保つ範囲で制御する。これらの制御は、作業管理プログラム１ｂ−４が
行う。
【００９１】
また、ビデオコーディング作業の依頼量は、ネットワーク１−３のデータ転送能力による制限もある。
【００９２】
９００ｂ、９００ｆは、郵便区分機１ａの文字認識および宛先コード読み取りによって区分情報が読み取れなかった郵便物の画像をビデオコーディングマネージャ１ｂへ転送する処理を示す。
【００９３】
９００ｃは、該郵便物の画像をネットワーク１−３で依頼先のビデオコーディングマネージャ１ｂへ転送する処理を示す。
【００９４】
９００ｄは、依頼先のビデオコーディングマネージャ１ｂからの区分情報の転送を受け取る処理を示す。
【００９５】
９００ｅ、９００ｉは、該区分情報を郵便区分機１ａへ転送する処理を示す。
【００９６】
９００ｇは、該郵便物の画像をビデオコーディングシステム１ｃへ転送する処理を示す。
【００９７】
９００ｈは、ビデオコーディングシステム１ｃからの区分情報の転送を受け取る処理を示す。
【００９８】
ここで、ビデオコーディングシステム１ｃの作業者２−５は、作業者２−５が作業者情報入力２ｈを行ったビデオコーディングシステム１ｃの該当端末にて区分情報の入力２ｉを行う。この区分情報入力２ｉは、作業者２−５の該当端末に表示した郵便物の画像２ｇから、作業者２−５が目視によって区分情報を読み取り、該読み取った区分情報を入力２ｉすることで実施する。
【００９９】
図１０は、ビデオコーディング作業の受領時におけるビデオコーディングマネージャ１ｂによるビデオコーディング作業受領の処理フローを示したものである。
【０１００】
１０００ａは、ビデオコーディングマネージャ１ｂにおけるビデオコーディング作業の単位時間の受領割合を制御する負荷制御処理を示したものである。この受領割合は受領先が依頼したビデオコーディング作業量を下回らない範囲で、かつ、総作業能力を超えないビデオコーディング作業量を保つ範囲で制御する。これらの制御は、作業管理プログラム１ｂ−４が行う。
【０１０１】
また、ビデオコーディング作業の受領量は、ネットワーク１−３のデータ転送能力による制限もある。
【０１０２】
１０００ｂは、郵便物の画像をネットワーク１−３で受領先のビデオコーディングマネージャ１ｂから受け取る処理を示す。
【０１０３】
１０００ｃ、１０００ｇは、該郵便物の画像をビデオコーディングシステム１ｃへ転送する処理を示す。この時、作業者２−５に対して受領したビデオコーディング作業であることを作業指示により伝えてもよく、また、通常のビデオコーディング作業と区別する必要のない場合は作業指示しなくてもよい。
【０１０４】
１０００ｄ、１０００ｈは、ビデオコーディングシステム１ｃからの区分情報の転送を受け取る処理を示す。
【０１０５】
１０００ｅは、該区分情報をネットワーク１−３で受領先のビデオコーディングマネージャ１ｂへ転送する処理を示す。
【０１０６】
１０００ｆは、郵便区分機１ａの文字認識および宛先コード読み取りによって区分情報が読み取れなかった郵便物の画像をビデオコーディングマネージャ１ｂへ転送する処理を示す。
【０１０７】
１０００ｉは、該区分情報を郵便区分機１ａへ転送する処理を示す。
【０１０８】
以上によって、ビデオコーディング作業を他の郵便区分センタ１−２で行うことができると共に、他の郵便区分センタ１−２のビデオコーディング作業を郵便区分センタ１−１で行うことができる。
【０１０９】
【発明の効果】
従って、ネットワークで接続した複数のビデオコーディングシステム間でビデオコーディング作業の相互依託を可能にすることができ、従来余剰に確保する必要があった作業者を低減すると供に、ビデオコーディングシステムの稼働率を向上させる郵便区分機とその分散型ビデオコーディングシステムを提供することができる。
【図面の簡単な説明】
【図１】ネットワーク構成を示す構成図。
【図２】ビデオコーディングマネージャのプログラムブロック図。
【図３】ビデオコーディングマネージャの基本構成図を示すブロック図。
【図４】ネットワーク構成を示す構成図。
【図５】処理フローを示すフローチャート図。
【図６】処理フローを示すフローチャート図。
【図７】処理フローを示すフローチャート図。
【図８】処理フローを示すフローチャート図。
【図９】処理フローを示すフローチャート図。
【図１０】処理フローを示すフローチャート図。
【図１１】従来の郵便区分機とビデオコーディングシステムの構成図。
【符号の説明】
１…１は郵便区分センタ、１−２…他の郵便区分センタ、１−３…ネットワーク、１ａ…郵便区分機、１ｂ…ビデオコーディングマネージャ、１ｃ…ビデオコーディングシステム、１ｂ−１…ネットワーク通信プログラム、１ｂ−２…作業依頼／受領管理プログラム、１ｂ−３…作業量予測／管理プログラム、１ｂ−４…作業管理プログラム、１ｂ−５…オペレーティングシステム、２−１、２−２、２−３…郵便物、２−４…支持者、２−５…作業者、２ａ…区分投入、２ｂ…差立て、２ｃ…配達、２ｄ…作業状況表示、２ｅ…作業依頼と受領指示入力、２ｆ…作業指示表示、２ｇ…画像表示、２ｈ…作業者情報入力。２ｉ…区分情報入力、３−１…メモリ、３−２…ネットワークインタフェース、３−３…作業依頼／受領表示装置、３−４…作業依頼／受領入力装置、３−５…ＣＰＵ、３−６…ハードディスク、３−７…ＢＵＳ、１１−１…郵便区分機、１１−２…ビデオコーディングシステム、１１−１ａ…区分情報読取部およびコード印刷部、１１−１ｂ…コード読取部および区分集積部。
【図１】
0003882455.tif 000002
【図２】
0003882455.tif 000003
【図３】
0003882455.tif 000004
【図４】
0003882455.tif 000005
【図５】
0003882455.tif 000006
【図６】
0003882455.tif 000007
【図７】
0003882455.tif 000008
【図８】
0003882455.tif 000009
【図９】
0003882455.tif 000010
【図１０】
0003882455.tif 000011
【図１１】
0003882455.tif 000012